(57)【要約】【課題】操作が容易で、コンパクトな記録装置を提供する。【解決手段】記録装置において、指示手段により記録開始の指示を受け入れ（ステップ２１）、接続手段を介して接続された各外部記憶手段について、記録手段による記録を開始するための所定の記録開始条件を満たすか否かを判定し（ステップ２２〜２６、２９、３０）、指示手段により受け入れた記録開始の指示に応じ、判定手段による記録開始条件を満たすとの判定がなされた各外部記憶手段に対し、所定の信号原からの信号に基づき、記録手段による記録を開始する（ステップ２７、２８、３１）。【選択図】図２
2008204552.tif 000002
【特許請求の範囲】
【請求項１】
複数の外部記憶手段を接続するための複数の接続手段と、
記録の開始を指示するための指示手段と、
前記接続手段を介して接続された外部記憶手段に対し、所定の信号原からの信号に基づく記録を行う記録手段と、
前記接続手段を介して接続された各外部記憶手段について、前記記録手段による記録を開始するための所定の記録開始条件を満たすか否かを判定する判定手段とを備え、
前記指示手段による記録開始の指示に応じ、前記判定手段による記録開始条件を満たすとの判定がなされた各外部記憶手段に対し、前記記録手段による記録を開始することを特徴とする記録装置。
【請求項２】
前記信号源を選択するための選択手段を備え、
前記接続手段を介して接続された外部記憶手段のうち、１つが前記信号原として選択された場合、選択された外部記憶手段以外の外部記憶手段を、前記判定手段による判定及び記録手段による記録開始の対象とすることを特徴とする請求項１に記載の記録装置。
【請求項３】
前記所定の記録開始条件には、当該外部記憶手段の接続が認識できることが含まれることを特徴とする請求項１又は２に記載の記録装置。
【請求項４】
指示手段により記録開始の指示を受け入れる工程と、
接続手段を介して接続された各外部記憶手段について、記録手段による記録を開始するための所定の記録開始条件を満たすか否かを判定する工程と、
前記指示手段により受け入れた記録開始の指示に応じ、前記判定手段による記録開始条件を満たすとの判定がなされた各外部記憶手段に対し、所定の信号原からの信号に基づき、前記記録手段による記録を開始する工程とを具備することを特徴とする記録方法。
【発明の詳細な説明】
【技術分野】
【０００１】
本発明は、１つの信号原からの信号に基づき、複数の外部記憶手段に対する記録を行うことができる記録装置及び記録方法に関する。
【背景技術】
【０００２】
従来、ＣＤ等の再生信号に基づき、ＵＳＢメモリやメモリカード等の２つの外部記憶装置に対して同時に録音を行う場合、双方の外部記憶装置における録音開始条件が揃ったときに録音を開始し、ＣＤ等の再生が終了するともに録音を停止させるようにした録音再生装置が知られている。
【０００３】
図７は、このような従来の録音再生装置において、ＣＤの再生信号に基づき、ＵＳＢメモリ及びメモリカードに対して同時に録音を行う動作を示すフローチャートである。動作を開始すると録音再生装置は、まずステップ１０１において、同時録音キーの入力を待機する。同時録音キーの入力を検出すると、ステップ１０２〜１０４において、録音開始条件としての、ＣＤが装着されていること、ＵＳＢメモリ及びメモリカードの双方が接続され、認識できること、並びにＵＳＢメモリ及びメモリカードの双方が書込み許可となっていることのすべてが満たされているかどうかを判定する。
【０００４】
これらの録音開始条件のうち、いずれか１つ以上が満たされていないと判定した場合には、ＵＳＢメモリ及びメモリカードへの同時録音が不能であるため、ステップ１０５へ進み、その旨を示すエラー表示を行い、図７の処理を終了する。録音開始条件のすべてが満たされていると判定した場合には、ステップ１０６へ進み、ＵＳＢメモリ及びメモリカードへの録音を開始するとともに、ステップ１０７において、ＣＤの再生を開始する。すなわちこれにより、ＣＤからＵＳＢメモリ及びメモリカードへの同時録音が開始されることになる。
【０００５】
録音中はステップ１０８〜１１３において所定の検出が行われ、検出内容に応じて所定の処理が行われる。すなわち、ステップ１０８において停止キーによる録音停止の指示の有無、及びステップ１０９においてＣＤの再生終了の有無を検出している。録音停止の指示又は再生終了を検出した場合には、ステップ１１４へ進み、ＣＤの再生動作、並びにＵＳＢメモリ及びメモリカードへの録音動作を停止し、図７の処理を終了する。
【０００６】
また、ステップ１１０及び１１１においては、ＵＳＢメモリへの録音中にＵＳＢメモリにおける録音用の残容量がなくなったかどうかの検出を行っている。残容量がなくなったことを検出した場合には、ステップ１１５においてＵＳＢメモリへの録音動作を停止し、ステップ１１７へ進む。同様に、ステップ１１２及び１１３においては、メモリカードへの録音中にメモリカードにおける録音用の残容量がなくなったかどうかの検出を行っている。残容量がなくなったことを検出した場合には、ステップ１１６においてメモリカードへの録音動作を停止し、ステップ１１７へ進む。
【０００７】
ステップ１１７では、ＵＳＢメモリ及びメモリカード双方への録音動作が停止されたかどうかを判定する。双方又はいずれか一方への録音動作が行われていると判定した場合にはステップ１０８へ戻る。この場合、その録音動作が続行されることになる。双方への録音動作が停止されたと判定した場合には、ステップ１１８においてＣＤの再生動作を停止し、図７の動作を終了する。
【０００８】
図８は、同様の録音再生装置において、ＣＤの再生信号に基づき、ＵＳＢメモリへの録音を行う動作を示すフローチャートである。動作を開始すると再生録音装置は、まずステップ１２１において、ＣＤからＵＳＢメモリへの録音を指示するための録音キーによる入力を待機する。録音キーの入力を検出すると、ステップ１２２〜１２４において、録音開始条件として、ＣＤが装着されていること、ＵＳＢメモリが接続され、認識できること、及びＵＳＢメモリが書込み許可となっていることのすべてが満たされているかどうかを判定する。
【０００９】
これらの録音開始条件のうち、いずれか１つ以上が満たされていないと判定した場合には、ＵＳＢメモリへの録音が不能であるため、ステップ１２５へ進み、その旨を示すエラー表示を行い、図８の処理を終了する。録音開始条件のすべてが満たされていると判定した場合には、ステップ１２６へ進み、ＣＤの再生中であるかどうかを判定する。再生中でなければそのままステップ１２８へ進み、再生中であればステップ１２７において、再生中のトラックの先頭に頭出しを行い、再生の一時定停止状態としてからステップ１２８へ進む。ステップ１２８へ進むと、ＵＳＢメモリへの録音を開始するとともに、ステップ１２９において、ＣＤの再生を開始する。これにより、ＣＤからＵＳＢメモリへの録音が開始されることになる。
【００１０】
録音中はステップ１３０〜１３２において所定の検出が行われ、検出内容に応じて所定の処理が行われる。すなわち、ステップ１３０において停止キーによる録音停止の指示の有無、ステップ１３１においてＣＤの再生終了の有無、及びステップ１３２においてＵＳＢメモリにおける録音用の残容量がなくなったかどうかの検出を行っている。録音停止の指示、ＣＤの再生終了、又は残容量がなくなったことのいずれかを検出した場合には、ステップ１３３へ進み、ＣＤの再生動作、及びＵＳＢメモリへの録音動作を停止し、図８の処理を終了する。いずれも検出しない場合にはステップ１３０へ戻り、録音動作が続行されることになる。なお、ＣＤからメモリカードのみへ録音する場合も、これと同様の手順で録音が行われる。
【００１１】
なお、図７のように１つの媒体の再生信号に基づき、２つの外部記憶装置に対して同時に録音を行う技術は、たとえば、特許文献１においても記載されている。この技術においては、ＣＤの再生信号に基づき、カセット及びＭＤに対して同時録音を行うようにしている。また、特許文献２には、ＣＤの再生信号や放送の受信信号に基づき、記録される各トラックをグループ分けしながら、ディスク媒体への記録を行うようにした記録装置が記載されている。
【００１２】
【特許文献１】特開平０８−２７９２７４号公報
【特許文献２】特開２００２−１６３８７６号公報
【発明の開示】
【発明が解決しようとする課題】
【００１３】
しかしながら、上述図７の従来技術によれば、ＵＳＢメモリ及びメモリカード双方についての録音条件が揃わなければ、同時録音を開始することができない。また、図７のような２つのメモリに対して同時に録音を行う同時録音機能及び図８のような１つのメモリのみを対象とする個別録音機能の双方を有する場合、同時録音キー並びに、各メモリへの録音を個別に指示するための個別録音キーを設ける必要がある。具体的には、同時録音キーに加え、ＣＤからＵＳＢメモリへの録音を指示するための個別録音キーや、ＣＤからメモリカードへの録音を指示するための個別録音キーを設ける必要がある。このため、録音の態様に応じて同時録音キー又は各個別録音キーを選択して操作する必要がある。したがって、装置のコンパクト性や操作性において問題がある。
【００１４】
本発明の目的は、このような従来技術の問題点に鑑み、より操作が容易で、コンパクトな記録装置を提供することにある。
【課題を解決するための手段】
【００１５】
この目的を達成するための第１の発明は、複数の外部記憶手段を接続するための複数の接続手段と、記録の開始を指示するための指示手段と、前記接続手段を介して接続された外部記憶手段に対し、所定の信号原からの信号に基づく記録を行う記録手段と、前記接続手段を介して接続された各外部記憶手段について、前記記録手段による記録を開始するための所定の記録開始条件を満たすか否かを判定する判定手段とを備えた記録装置に関する。そしてこの記録装置は、前記指示手段による記録開始の指示に応じ、前記判定手段による記録開始条件を満たすとの判定がなされた各外部記憶手段に対し、前記記録手段による記録を開始することを特徴とする。
【００１６】
ここで、外部記憶手段としては、たとえば、ＵＳＢメモリやメモリカードが該当する。複数の外部記憶手段は、同種のものたとえばＵＳＢメモリのみであっても、異種のものたとえばＵＳＢメモリ及びメモリカードであってもよい。接続手段としては、たとえば、ＵＳＢコントローラやメモリカードスロットが該当する。指示手段としては、たとえば、押下キーや押下ボタン、タッチパネルが該当する。所定の記録開始条件としては、たとえば当該外部記憶手段の接続が認識できることや、書込み許可となっていることや、記録を行うための所定の空き容量があることが該当する。これらを適宜組み合わせたものを記録開始条件としてもよい。所定の信号原としては、たとえば、ＣＤ再生装置やＤＶＤ再生装置が該当する。
【００１７】
この構成において、外部記憶手段が１つのみ接続されている場合に、記録開始の指示がなされると、その外部記憶手段が所定の記録開始条件を満たしていれば、その外部記憶手段に対し、所定の信号原からの信号に基づく記録がなされる。外部記憶手段が２以上接続されている場合には、それらの外部記憶手段が記録開始条件を満たしていれば、それらの外部記憶手段に対して、前記信号原からの信号に基づく記録がなされることになる。したがって、ユーザは記録開始条件を満たす１又は２以上の外部記憶手段を接続し、指示手段により記録開始を指示するだけで、接続した各外部記憶手段に対し、信号源からの信号に基づく記録を開始させることができる。つまり、指示手段は記録開始の指示のみに用いられ、記録対象とする外部記憶手段を特定するために用いられることはない。記録対象とする外部記憶手段は、単にそれが接続され、記録開始条件を満たしているかどうかによって決定される。
【００１８】
第２の発明に係る記録装置は、第１発明において、前記信号源を選択するための選択手段を備え、前記接続手段を介して接続された外部記憶手段のうち、１つが前記信号原として選択された場合、選択された外部記憶手段以外の外部記憶手段を、前記判定手段による判定及び記録手段による記録開始の対象とすることを特徴とする。
【００１９】
前記所定の記録開始条件には、当該外部記憶手段の接続が認識できることが含まれることを特徴とする請求項１又は２に記載の記録装置。
【００２０】
第４の発明に係る記録方法は、指示手段により記録開始の指示を受け入れる工程と、接続手段を介して接続された各外部記憶手段について、記録手段による記録を開始するための所定の記録開始条件を満たすか否かを判定する工程と、前記指示手段により受け入れた記録開始の指示に応じ、前記判定手段による記録開始条件を満たすとの判定がなされた各外部記憶手段に対し、所定の信号原からの信号に基づき、前記記録手段による記録を開始する工程とを具備することを特徴とする。
【発明の効果】
【００２１】
本発明によれば、１又は２以上の外部記憶手段を接続し、指示手段により記録開始を指示するだけで、記録開始条件を満たす各外部記憶手段に対し、信号源からの信号に基づく記録を開始するようにしたため、記録対象とする外部記憶手段は、単にそれが接続され、記録開始条件を満たしているかどうかによって決定される。したがって、従来のように同時記録用の指示手段及び個別記録用の指示手段の双方を設けたり、それらを選択して操作したりする必要がないので、記録装置のコストの低減及びコンパクト化、並びに操作の簡易化を図ることができる。
【００２２】
また、信号源を選択するための選択手段を設け、接続された外部記憶手段のうち、１つが信号原として選択された場合、選択された外部記憶手段以外の外部記憶手段を、判定手段による判定及び記録手段による記録開始の対象とするようにしたため、選択された外部記憶手段から他の１つ又は複数の外部記憶手段への個別記録又は同時記録を行うことができる。この場合も、個別記録又は同時記録のいずれについても、共通の指示手段により記録開始の指示を行うことができる。
【発明を実施するための最良の形態】
【００２３】
図１は、本発明の一実施形態に係る録音再生装置の構成を示すブロック図である。同図に示すように、この装置は、ＣＤを再生して再生信号を出力するＣＤメカ部１１、及びＣＤメカ部１１から入力される信号に対し、符号化や復号化等の信号処理を施すデジタル・シグナル・プロセッサ（以下、「ＤＳＰ」という。）１２を備える。ＤＳＰ１２が処理した信号は、ＵＳＢメモリ１３やメモリカード１４に出力される。ＤＳＰ１２と、ＵＳＢメモリ１３及びメモリカード１４との間には、それぞれの間のインタフェースとして機能するＵＳＢコントローラ１５及びメモリカードスロット１６が設けられている。
【００２４】
録音再生装置には、ＤＳＰ１２が処理した信号に基づいて音声を出力するために、ＤＳＰ１２が出力するデジタル音声信号をアナログ音声信号に変換するＤＡコンバータ１７、ＤＡコンバータ１７からのアナログ信号を増幅するアンプ部１８、及びアンプ部１８で増幅された信号を音声に変換するスピーカ１９が設けられている。また、装置全体を制御するために、システムマイコン２０が設けられている。システムマイコン２０には、システムマイコン２０からの画像信号に基づく表示を行う表示部２１、及びシステムマイコン２０に対してユーザが指示を与えるための操作部２２が接続されている。表示部２１及び操作部２２は、ユーザインタフェースを構成する。操作部２２には録音開始の指示を受け入れるための録音キーや、録音停止の指示を受け入れるための停止キーが設けられている。
【００２５】
システムマイコン２０はユーザからの指示に基づき、ＣＤメカ部１１、ＤＳＰ１２等を制御し、ＣＤメカ部１１、ＵＳＢメモリ１３、メモリカード１４等からの信号に基づく音声の出力や、これらの信号に基づくＵＳＢメモリ１３やメモリカード１４への記録等を行う。ＤＳＰ１２はその際に、ＣＤメカ部１１や、ＵＳＢコントローラ１５、メモリカードスロット１６等の間に介在し、これらの間で送受される信号についてのエンコードやデコード等の必要な信号変換処理を行う。
【００２６】
図２は録音再生装置において、ＣＤメカ部１１からの再生信号に基づき、ＵＳＢメモリ１３及びメモリカード１４の双方又は一方に対して録音を行う場合のシステムマイコン２０による処理を示すフローチャートである。動作を開始するとシステムマイコン２０は、まず、ステップ２１において、録音キーによる入力を待機する。録音キーの入力を検出すると、ステップ２２において、ＣＤメカ部１１にＣＤが装着されているか否かを判定する。ＣＤが装着されていないと判定した場合には、ＣＤからの録音が不能であるため、ステップ３２へ進み、その旨を示すエラー表示を行い、図２の処理を終了する。
【００２７】
ステップ２２においてＣＤが装着されていると判定した場合には、ステップ２３及び２４において、ＵＳＢメモリ１３への録音を行うための要件、すなわちＵＳＢメモリ１３がＵＳＢコントローラ１５に接続され、認識できること、及びＵＳＢメモリ１３が書込み許可となっていることの双方が満たされているか否かを判定する。双方の要件が満たされていると判定した場合には、ステップ２５及び２６において、メモリカード１４への録音を行うための要件、すなわちメモリカード１４が接続され、認識できること、及びメモリカード１４が書込み許可となっていることの双方が満たされているか否かの判定を行う。双方の要件が満たされていると判定した場合には、ＵＳＢメモリ１３及びメモリカード１４双方への録音を行うための要件が満たされていることになるので、ステップ２７へ進み、ＣＤからＵＳＢメモリ１３及びメモリカード１４双方への同時録音を行い、図２の処理を終了する。
【００２８】
ステップ２５及び２６において、メモリカード１４への録音を行うための要件が満たされていないと判定した場合には、ＵＳＢメモリ１３のみへの録音を行うための要件が満たされていることになるので、ステップ２８へ進み、ＣＤからＵＳＢメモリ１３のみへの録音を行い、図２の処理を終了する。
【００２９】
一方、ステップ２３及び２４においてＵＳＢメモリ１３への録音を行うための要件が満たされていないと判定した場合には、ステップ２９及び３０において、メモリカードへの録音を行うための要件、すなわちメモリカード１４が接続され、認識できること、及びメモリカード１４が書込み許可となっていることの双方が満たされているか否かの判定を行う。いずれか一方の要件が満たされていないと判定した場合には、ＵＳＢメモリ１３及びメモリカード１４のいずれにも録音を行うことができないので、ステップ３２へ進み、その旨を表示するエラー表示を行い、図２の処理を終了する。
【００３０】
ステップ２９及び３０においてメモリカード１４への録音を行うための要件が満たされていると判定した場合には、メモリカード１４のみへの録音を行うための要件が満たされていることになるので、ステップ３１へ進み、ＣＤからメモリカード１４のみへの録音を行い、図２の処理を終了する。
【００３１】
図３は上記ステップ２７におけるＣＤからＵＳＢメモリ１３及びメモリカード１４双方への同時録音を行う場合の処理を示すフローチャートである。システムマイコン２０はまず、ステップ３１において、ＣＤメカ部１１がＣＤを再生中であるかどうかを判定する。再生中でなければそのままステップ３３へ進み、再生中であれば、ステップ３２において、再生中のトラックの先頭に頭出しを行い、再生の一時定停止状態としてからステップ３３へ進む。ステップ３３へ進むと、ＵＳＢメモリ１３及びメモリカード１４への録音を開始するとともに、ステップ３４において、ＣＤの再生を開始する。これにより、ステップ３２を経由した場合は再生中であったトラックについての録音が、ステップ３２を経由しなかった場合はＣＤの全曲についての録音が、ＵＳＢメモリ１３及びメモリカード１４の双方に対して同時に開始されることになる。
【００３２】
録音中はステップ３５〜４０において所定の検出が行われ、検出内容に応じて所定の処理が行われる。すなわちまず、ステップ３５においては、停止キーによる録音停止の指示の有無を検出し、ステップ３６においては、ＣＤの再生終了の有無を検出する。録音停止の指示又は再生終了を検出した場合には、ステップ４５へ進み、ＣＤの再生動作、並びにＵＳＢメモリ１３及びメモリカード１４への録音動作を停止し、図３の処理を終了する。
【００３３】
ステップ３７及び３８においては、ＵＳＢメモリ１３への録音中にＵＳＢメモリ１３における録音用の残容量がなくなったかどうかの検出を行う。残容量がなくなったことを検出した場合には、ステップ４１においてＵＳＢメモリ１３への録音動作を停止し、ステップ４３へ進む。同様に、ステップ３９及び４０においては、メモリカード１４への録音中にメモリカード１４における録音用の残容量がなくなったかどうかの検出を行う。残容量がなくなったことを検出した場合には、ステップ４２においてメモリカード１４への録音動作を停止し、ステップ４３へ進む。
【００３４】
ステップ４３では、ＵＳＢメモリ１３及びメモリカード１４双方への録音動作が停止されたかどうかを判定する。双方又はいずれか一方への録音動作が行われていると判定した場合にはステップ３５へ戻る。この場合、その録音動作が続行されることになる。双方への録音動作が停止されたと判定した場合には、ステップ４４においてＣＤメカ部１１による再生動作を停止し、図３の動作を終了する。
【００３５】
図４は図２のステップ２８におけるＣＤからＵＳＢメモリ１３のみへの録音を行う場合の処理を示すフローチャートである。システムマイコン２０はまず、ステップ５１において、ＣＤメカ部１１がＣＤを再生中であるかどうかを判定する。再生中でなければそのままステップ５３へ進み、再生中であればステップ５２において、再生中のトラックの先頭に頭出しを行い、再生の一時定停止状態としてからステップ５３へ進む。ステップ５３へ進むと、ＵＳＢメモリ１３への録音を開始するとともに、ステップ５４において、ＣＤの再生を開始する。これにより、ステップ５２を経由した場合は再生中であったトラックについての録音が、ステップ５２を経由しなかった場合はＣＤの全曲についての録音が、ＵＳＢメモリ１３に対して開始されることになる。
【００３６】
録音中はステップ５５〜５７において所定の検出が行われ、検出内容に応じて所定の処理が行われる。すなわち、ステップ５５において停止キーによる録音停止の指示の有無、ステップ５６においてＣＤの再生終了の有無、及びステップ５７においてＵＳＢメモリ１３における録音用の残容量がなくなったかどうかの検出を行う。録音停止の指示、ＣＤの再生終了、又は残容量がなくなったことのいずれかを検出した場合には、ステップ５８へ進み、ＣＤメカ部１１によるＣＤの再生動作、及びＵＳＢメモリ１３への録音動作を停止して、図４の処理を終了する。いずれも検出しなかった場合にはステップ５５へ戻り、録音動作を続行する。
【００３７】
図５は図２のステップ３１におけるＣＤからメモリカード１４のみへの録音を行う場合の処理を示すフローチャートである。この録音は、ＣＤからＵＳＢメモリ１３のみへ録音を行う図４の場合と同様の手順で行われる。すなわち、図４の説明における「ＵＳＢメモリ１３」を「メモリカード１４」に置き換えるとともに、「ステップ５１」〜「ステップ５８」を「ステップ６１」〜「ステップ６８」に置き換えるだけで、図４の説明をそのまま図５の説明として適用することができる。
【００３８】
本実施形態によれば、録音キーの入力に応答して、ＵＳＢメモリ１３及びメモリカード１４の双方について、録音を行うための要件が満たされているかどうかを判定し、要件が満たされているものについて録音を行うようにしたため、録音キーの操作のみで（ステップ２１）、ＵＳＢメモリ１３及びメモリカード１４への同時録音（ステップ２７）、並びにＵＳＢメモリ１３又はメモリカード１４のいずれか一方のみへの録音（ステップ２８又は３１）を行うことができる。したがって、従来のようにＵＳＢメモリ及びメモリカードへの同時録音を指示するための同時録音キー、並びにＵＳＢメモリのみ又はメモリカードのみへの各個別録音を指示するための２つの個別録音キーを設ける必要なく、１つの録音キーのみを設けるだけで、同時録音及び各個別録音の指示を行うことができる。また、同時録音及び各個別録音の指示を１つの録音キーにより行うことができるので、操作も容易となる。
【００３９】
図６は本発明の別の実施形態に係る録音再生装置における処理を示すフローチャートである。この録音再生装置については、図１のブロック図がそのまま適用される。ただし、この録音再生装置は、ＵＳＢメモリ１３及びメモリカード１４からの再生を行う機能を有している。そして、操作部２２には、入力セレクタが設けられており、入力セレクタにより、録音を行う場合の音源を、ＣＤメカ部１１、ＵＳＢメモリ１３、及びメモリカード１４のうちから選択することができるようになっている。
【００４０】
システムマイコン２０は、図６の処理を開始すると、ステップ７１、７２、８４、及び９０において、録音キーによる入力の有無、及び入力セレクタによる選択状態の検出を行う。そして、録音キーによる入力があったとき（ステップ７１）、入力セレクタによりＣＤメカ部１１が選択されている場合には（ステップ７２）、ＣＤからＵＳＢメモリ１３及びメモリカード１４への同時録音（ステップ７８）、ＣＤからＵＳＢメモリ１３のみへの録音（ステップ７９）、又はＣＤからメモリカード１４のみへの録音（ステップ８２）を行う。この場合のステップ７３〜８３の処理は、図２のステップ２２〜３２の処理と同様である。
【００４１】
また、録音キーによる入力があったとき（ステップ７１）、入力セレクタによりＵＳＢメモリ１３が選択されている場合には（ステップ８４）、ＵＳＢメモリ１３からメモリカード１４への録音（ステップ８８）を行う。この場合、ＵＳＢメモリ１３がＵＳＢコントローラ１５に接続され、認識できること（ステップ８５）、メモリカード１４がメモリカードスロット１６に接続され、認識できること（ステップ８６）、及びメモリカード１４が書込み許可となっていること（ステップ８７）が録音を行うための要件とされる。いずれかの要件を満たさない場合には、ステップ８９において、その旨を示すエラー表示を行い、図６の処理を終了する。
【００４２】
また、録音キーによる入力があったとき（ステップ７１）、入力セレクタによりメモリカード１４が選択されている場合には（ステップ９０）、メモリカード１４からＵＳＢメモリ１３への録音（ステップ９４）を行う。この場合、メモリカード１４がメモリカードスロット１６に接続され、認識できること（ステップ９１）、ＵＳＢメモリ１３がＵＳＢコントローラ１５に接続され、認識できること（ステップ９２）、及びＵＳＢメモリ１３が書込み許可となっていること（ステップ９３）が録音を行うための要件とされる。いずれかの要件を満たさない場合には、ステップ９５において、その旨を示すエラー表示を行い、図６の処理を終了する。
【００４３】
本実施形態によれば、録音用の音源として、入力セレクタによりＣＤが選択されている場合には、図２の形態の場合と同様に、共通の１つの録音キーの操作によって、ＣＤからのＵＳＢメモリ１３及びメモリカード１４への同時録音及び個別録音を行うことができるとともに、入力セレクタによりＵＳＢメモリ１３又はメモリカード１４が選択されている場合でも、メモリカード１４又はＵＳＢメモリ１３への録音を、前記共通の録音キーの操作によって行うことができる。
【００４４】
なお、本発明は上述実施形態に限定されることなく、適宜変形して実施することができる。たとえば、上述においては、同時録音及び個別録音の対象として、ＵＳＢメモリ１３及びメモリカード１４を用いているが、これに限らず、他の外部記憶装置や３つ以上の外部記憶装置を用いるようにしてもよい。その場合、同種の複数の外部記憶装置が対象に含まれていてもよい。この場合も、共通の録音キーの操作に応じ、録音要件を具備する外部記憶装置について録音を実施することにより、上述と同様の効果を得ることができる。
【図面の簡単な説明】
【００４５】
【図１】本発明の一実施形態に係る録音再生装置の構成を示すブロック図である。
【図２】図１の録音再生装置において、ＵＳＢメモリ及びメモリカードの双方又は一方に対して録音を行う場合のシステムマイコン２０による処理を示すフローチャートである。
【図３】図２の処理におけるＣＤからＵＳＢメモリ及びメモリカード双方への同時録音を行う場合の処理を示すフローチャートである。
【図４】図２の処理におけるＣＤからＵＳＢメモリのみへの録音を行う場合の処理を示すフローチャートである。
【図５】図２の処理におけるＣＤからメモリカードのみへの録音を行う場合の処理を示すフローチャートである。
【図６】本発明の別の実施形態に係る録音再生装置における処理を示すフローチャートである。
【図７】従来の録音再生装置において、ＣＤの再生信号に基づき、ＵＳＢメモリ及びメモリカードに対して同時に録音を行う動作を示すフローチャートである。
【図８】従来の録音再生装置において、ＣＤの再生信号に基づき、ＵＳＢメモリへの録音を行う動作を示すフローチャートである。
【符号の説明】
【００４６】
１１：ＣＤメカ部、１２：ＤＳＰ、１３：ＵＳＢメモリ、１４：メモリカード、１５：ＵＳＢコントローラ、１６：メモリカードスロット、１７：ＤＡコンバータ、１８：アンプ部、１９：スピーカ、２０：システムマイコン、２１：表示部、２２：操作部。
【図１】
2008204552.tif 000003
【図２】
2008204552.tif 000004
【図３】
2008204552.tif 000005
【図４】
2008204552.tif 000006
【図５】
2008204552.tif 000007
【図６】
2008204552.tif 000008
【図７】
2008204552.tif 000009
【図８】
2008204552.tif 000010
【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
複数の外部記憶手段を接続するための複数の接続手段と、
記録の開始を指示するための指示手段と、
前記接続手段を介して接続された外部記憶手段に対し、所定の信号源からの信号に基づく記録を行う記録手段と、
前記接続手段を介して接続された各外部記憶手段について、前記記録手段による記録を開始するための所定の記録開始条件を満たすか否かを判定する判定手段とを備え、
前記指示手段による記録開始の指示に応じ、前記判定手段による記録開始条件を満たすとの判定がなされた各外部記憶手段に対し、前記記録手段による記録を開始することを特徴とする記録装置。
【請求項２】
前記信号源を選択するための選択手段を備え、
前記接続手段を介して接続された外部記憶手段のうち、１つが前記信号源として選択された場合、選択された外部記憶手段以外の外部記憶手段を、前記判定手段による判定及び記録手段による記録開始の対象とすることを特徴とする請求項１に記載の記録装置。
【請求項３】
前記所定の記録開始条件には、当該外部記憶手段の接続が認識できることが含まれることを特徴とする請求項１又は２に記載の記録装置。
【請求項４】
指示手段により記録開始の指示を受け入れる工程と、
接続手段を介して接続された各外部記憶手段について、記録手段による記録を開始するための所定の記録開始条件を満たすか否かを判定する工程と、
前記指示手段により受け入れた記録開始の指示に応じ、前記判定手段による記録開始条件を満たすとの判定がなされた各外部記憶手段に対し、所定の信号源からの信号に基づき、前記記録手段による記録を開始する工程とを具備することを特徴とする記録方法。
【手続補正２】
【補正対象書類名】明細書
【補正対象項目名】全文
【補正方法】変更
【補正の内容】
【発明の詳細な説明】
【技術分野】
【０００１】
本発明は、１つの信号源からの信号に基づき、複数の外部記憶手段に対する記録を行うことができる記録装置及び記録方法に関する。
【背景技術】
【０００２】
従来、ＣＤ等の再生信号に基づき、ＵＳＢメモリやメモリカード等の２つの外部記憶装置に対して同時に録音を行う場合、双方の外部記憶装置における録音開始条件が揃ったときに録音を開始し、ＣＤ等の再生が終了するともに録音を停止させるようにした録音再生装置が知られている。
【０００３】
図７は、このような従来の録音再生装置において、ＣＤの再生信号に基づき、ＵＳＢメモリ及びメモリカードに対して同時に録音を行う動作を示すフローチャートである。動作を開始すると録音再生装置は、まずステップ１０１において、同時録音キーの入力を待機する。同時録音キーの入力を検出すると、ステップ１０２〜１０４において、録音開始条件としての、ＣＤが装着されていること、ＵＳＢメモリ及びメモリカードの双方が接続され、認識できること、並びにＵＳＢメモリ及びメモリカードの双方が書込み許可となっていることのすべてが満たされているかどうかを判定する。
【０００４】
これらの録音開始条件のうち、いずれか１つ以上が満たされていないと判定した場合には、ＵＳＢメモリ及びメモリカードへの同時録音が不能であるため、ステップ１０５へ進み、その旨を示すエラー表示を行い、図７の処理を終了する。録音開始条件のすべてが満たされていると判定した場合には、ステップ１０６へ進み、ＵＳＢメモリ及びメモリカードへの録音を開始するとともに、ステップ１０７において、ＣＤの再生を開始する。すなわちこれにより、ＣＤからＵＳＢメモリ及びメモリカードへの同時録音が開始されることになる。
【０００５】
録音中はステップ１０８〜１１３において所定の検出が行われ、検出内容に応じて所定の処理が行われる。すなわち、ステップ１０８において停止キーによる録音停止の指示の有無、及びステップ１０９においてＣＤの再生終了の有無を検出している。録音停止の指示又は再生終了を検出した場合には、ステップ１１４へ進み、ＣＤの再生動作、並びにＵＳＢメモリ及びメモリカードへの録音動作を停止し、図７の処理を終了する。
【０００６】
また、ステップ１１０及び１１１においては、ＵＳＢメモリへの録音中にＵＳＢメモリにおける録音用の残容量がなくなったかどうかの検出を行っている。残容量がなくなったことを検出した場合には、ステップ１１５においてＵＳＢメモリへの録音動作を停止し、ステップ１１７へ進む。同様に、ステップ１１２及び１１３においては、メモリカードへの録音中にメモリカードにおける録音用の残容量がなくなったかどうかの検出を行っている。残容量がなくなったことを検出した場合には、ステップ１１６においてメモリカードへの録音動作を停止し、ステップ１１７へ進む。
【０００７】
ステップ１１７では、ＵＳＢメモリ及びメモリカード双方への録音動作が停止されたかどうかを判定する。双方又はいずれか一方への録音動作が行われていると判定した場合にはステップ１０８へ戻る。この場合、その録音動作が続行されることになる。双方への録音動作が停止されたと判定した場合には、ステップ１１８においてＣＤの再生動作を停止し、図７の動作を終了する。
【０００８】
図８は、同様の録音再生装置において、ＣＤの再生信号に基づき、ＵＳＢメモリへの録音を行う動作を示すフローチャートである。動作を開始すると再生録音装置は、まずステップ１２１において、ＣＤからＵＳＢメモリへの録音を指示するための録音キーによる入力を待機する。録音キーの入力を検出すると、ステップ１２２〜１２４において、録音開始条件として、ＣＤが装着されていること、ＵＳＢメモリが接続され、認識できること、及びＵＳＢメモリが書込み許可となっていることのすべてが満たされているかどうかを判定する。
【０００９】
これらの録音開始条件のうち、いずれか１つ以上が満たされていないと判定した場合には、ＵＳＢメモリへの録音が不能であるため、ステップ１２５へ進み、その旨を示すエラー表示を行い、図８の処理を終了する。録音開始条件のすべてが満たされていると判定した場合には、ステップ１２６へ進み、ＣＤの再生中であるかどうかを判定する。再生中でなければそのままステップ１２８へ進み、再生中であればステップ１２７において、再生中のトラックの先頭に頭出しを行い、再生の一時定停止状態としてからステップ１２８へ進む。ステップ１２８へ進むと、ＵＳＢメモリへの録音を開始するとともに、ステップ１２９において、ＣＤの再生を開始する。これにより、ＣＤからＵＳＢメモリへの録音が開始されることになる。
【００１０】
録音中はステップ１３０〜１３２において所定の検出が行われ、検出内容に応じて所定の処理が行われる。すなわち、ステップ１３０において停止キーによる録音停止の指示の有無、ステップ１３１においてＣＤの再生終了の有無、及びステップ１３２においてＵＳＢメモリにおける録音用の残容量がなくなったかどうかの検出を行っている。録音停止の指示、ＣＤの再生終了、又は残容量がなくなったことのいずれかを検出した場合には、ステップ１３３へ進み、ＣＤの再生動作、及びＵＳＢメモリへの録音動作を停止し、図８の処理を終了する。いずれも検出しない場合にはステップ１３０へ戻り、録音動作が続行されることになる。なお、ＣＤからメモリカードのみへ録音する場合も、これと同様の手順で録音が行われる。
【００１１】
なお、図７のように１つの媒体の再生信号に基づき、２つの外部記憶装置に対して同時に録音を行う技術は、たとえば、特許文献１においても記載されている。この技術においては、ＣＤの再生信号に基づき、カセット及びＭＤに対して同時録音を行うようにしている。また、特許文献２には、ＣＤの再生信号や放送の受信信号に基づき、記録される各トラックをグループ分けしながら、ディスク媒体への記録を行うようにした記録装置が記載されている。
【００１２】
【特許文献１】特開平０８−２７９２７４号公報
【特許文献２】特開２００２−１６３８７６号公報
【発明の開示】
【発明が解決しようとする課題】
【００１３】
しかしながら、上述図７の従来技術によれば、ＵＳＢメモリ及びメモリカード双方についての録音条件が揃わなければ、同時録音を開始することができない。また、図７のような２つのメモリに対して同時に録音を行う同時録音機能及び図８のような１つのメモリのみを対象とする個別録音機能の双方を有する場合、同時録音キー並びに、各メモリへの録音を個別に指示するための個別録音キーを設ける必要がある。具体的には、同時録音キーに加え、ＣＤからＵＳＢメモリへの録音を指示するための個別録音キーや、ＣＤからメモリカードへの録音を指示するための個別録音キーを設ける必要がある。このため、録音の態様に応じて同時録音キー又は各個別録音キーを選択して操作する必要がある。したがって、装置のコンパクト性や操作性において問題がある。
【００１４】
本発明の目的は、このような従来技術の問題点に鑑み、より操作が容易で、コンパクトな記録装置を提供することにある。
【課題を解決するための手段】
【００１５】
この目的を達成するための第１の発明は、複数の外部記憶手段を接続するための複数の接続手段と、記録の開始を指示するための指示手段と、前記接続手段を介して接続された外部記憶手段に対し、所定の信号源からの信号に基づく記録を行う記録手段と、前記接続手段を介して接続された各外部記憶手段について、前記記録手段による記録を開始するための所定の記録開始条件を満たすか否かを判定する判定手段とを備えた記録装置に関する。そしてこの記録装置は、前記指示手段による記録開始の指示に応じ、前記判定手段による記録開始条件を満たすとの判定がなされた各外部記憶手段に対し、前記記録手段による記録を開始することを特徴とする。
【００１６】
ここで、外部記憶手段としては、たとえば、ＵＳＢメモリやメモリカードが該当する。複数の外部記憶手段は、同種のものたとえばＵＳＢメモリのみであっても、異種のものたとえばＵＳＢメモリ及びメモリカードであってもよい。接続手段としては、たとえば、ＵＳＢコントローラやメモリカードスロットが該当する。指示手段としては、たとえば、押下キーや押下ボタン、タッチパネルが該当する。所定の記録開始条件としては、たとえば当該外部記憶手段の接続が認識できることや、書込み許可となっていることや、記録を行うための所定の空き容量があることが該当する。これらを適宜組み合わせたものを記録開始条件としてもよい。所定の信号源としては、たとえば、ＣＤ再生装置やＤＶＤ再生装置が該当する。
【００１７】
この構成において、外部記憶手段が１つのみ接続されている場合に、記録開始の指示がなされると、その外部記憶手段が所定の記録開始条件を満たしていれば、その外部記憶手段に対し、所定の信号源からの信号に基づく記録がなされる。外部記憶手段が２以上接続されている場合には、それらの外部記憶手段が記録開始条件を満たしていれば、それらの外部記憶手段に対して、前記信号源からの信号に基づく記録がなされることになる。したがって、ユーザは記録開始条件を満たす１又は２以上の外部記憶手段を接続し、指示手段により記録開始を指示するだけで、接続した各外部記憶手段に対し、信号源からの信号に基づく記録を開始させることができる。つまり、指示手段は記録開始の指示のみに用いられ、記録対象とする外部記憶手段を特定するために用いられることはない。記録対象とする外部記憶手段は、単にそれが接続され、記録開始条件を満たしているかどうかによって決定される。
【００１８】
第２の発明に係る記録装置は、第１発明において、前記信号源を選択するための選択手段を備え、前記接続手段を介して接続された外部記憶手段のうち、１つが前記信号源として選択された場合、選択された外部記憶手段以外の外部記憶手段を、前記判定手段による判定及び記録手段による記録開始の対象とすることを特徴とする。
【００１９】
前記所定の記録開始条件には、当該外部記憶手段の接続が認識できることが含まれることを特徴とする請求項１又は２に記載の記録装置。
【００２０】
第４の発明に係る記録方法は、指示手段により記録開始の指示を受け入れる工程と、接続手段を介して接続された各外部記憶手段について、記録手段による記録を開始するための所定の記録開始条件を満たすか否かを判定する工程と、前記指示手段により受け入れた記録開始の指示に応じ、前記判定手段による記録開始条件を満たすとの判定がなされた各外部記憶手段に対し、所定の信号源からの信号に基づき、前記記録手段による記録を開始する工程とを具備することを特徴とする。
【発明の効果】
【００２１】
本発明によれば、１又は２以上の外部記憶手段を接続し、指示手段により記録開始を指示するだけで、記録開始条件を満たす各外部記憶手段に対し、信号源からの信号に基づく記録を開始するようにしたため、記録対象とする外部記憶手段は、単にそれが接続され、記録開始条件を満たしているかどうかによって決定される。したがって、従来のように同時記録用の指示手段及び個別記録用の指示手段の双方を設けたり、それらを選択して操作したりする必要がないので、記録装置のコストの低減及びコンパクト化、並びに操作の簡易化を図ることができる。
【００２２】
また、信号源を選択するための選択手段を設け、接続された外部記憶手段のうち、１つが信号源として選択された場合、選択された外部記憶手段以外の外部記憶手段を、判定手段による判定及び記録手段による記録開始の対象とするようにしたため、選択された外部記憶手段から他の１つ又は複数の外部記憶手段への個別記録又は同時記録を行うことができる。この場合も、個別記録又は同時記録のいずれについても、共通の指示手段により記録開始の指示を行うことができる。
【発明を実施するための最良の形態】
【００２３】
図１は、本発明の一実施形態に係る録音再生装置の構成を示すブロック図である。同図に示すように、この装置は、ＣＤを再生して再生信号を出力するＣＤメカ部１１、及びＣＤメカ部１１から入力される信号に対し、符号化や復号化等の信号処理を施すデジタル・シグナル・プロセッサ（以下、「ＤＳＰ」という。）１２を備える。ＤＳＰ１２が処理した信号は、ＵＳＢメモリ１３やメモリカード１４に出力される。ＤＳＰ１２と、ＵＳＢメモリ１３及びメモリカード１４との間には、それぞれの間のインタフェースとして機能するＵＳＢコントローラ１５及びメモリカードスロット１６が設けられている。
【００２４】
録音再生装置には、ＤＳＰ１２が処理した信号に基づいて音声を出力するために、ＤＳＰ１２が出力するデジタル音声信号をアナログ音声信号に変換するＤＡコンバータ１７、ＤＡコンバータ１７からのアナログ信号を増幅するアンプ部１８、及びアンプ部１８で増幅された信号を音声に変換するスピーカ１９が設けられている。また、装置全体を制御するために、システムマイコン２０が設けられている。システムマイコン２０には、システムマイコン２０からの画像信号に基づく表示を行う表示部２１、及びシステムマイコン２０に対してユーザが指示を与えるための操作部２２が接続されている。表示部２１及び操作部２２は、ユーザインタフェースを構成する。操作部２２には録音開始の指示を受け入れるための録音キーや、録音停止の指示を受け入れるための停止キーが設けられている。
【００２５】
システムマイコン２０はユーザからの指示に基づき、ＣＤメカ部１１、ＤＳＰ１２等を制御し、ＣＤメカ部１１、ＵＳＢメモリ１３、メモリカード１４等からの信号に基づく音声の出力や、これらの信号に基づくＵＳＢメモリ１３やメモリカード１４への記録等を行う。ＤＳＰ１２はその際に、ＣＤメカ部１１や、ＵＳＢコントローラ１５、メモリカードスロット１６等の間に介在し、これらの間で送受される信号についてのエンコードやデコード等の必要な信号変換処理を行う。
【００２６】
図２は録音再生装置において、ＣＤメカ部１１からの再生信号に基づき、ＵＳＢメモリ１３及びメモリカード１４の双方又は一方に対して録音を行う場合のシステムマイコン２０による処理を示すフローチャートである。動作を開始するとシステムマイコン２０は、まず、ステップ２１において、録音キーによる入力を待機する。録音キーの入力を検出すると、ステップ２２において、ＣＤメカ部１１にＣＤが装着されているか否かを判定する。ＣＤが装着されていないと判定した場合には、ＣＤからの録音が不能であるため、ステップ３２へ進み、その旨を示すエラー表示を行い、図２の処理を終了する。
【００２７】
ステップ２２においてＣＤが装着されていると判定した場合には、ステップ２３及び２４において、ＵＳＢメモリ１３への録音を行うための要件、すなわちＵＳＢメモリ１３がＵＳＢコントローラ１５に接続され、認識できること、及びＵＳＢメモリ１３が書込み許可となっていることの双方が満たされているか否かを判定する。双方の要件が満たされていると判定した場合には、ステップ２５及び２６において、メモリカード１４への録音を行うための要件、すなわちメモリカード１４が接続され、認識できること、及びメモリカード１４が書込み許可となっていることの双方が満たされているか否かの判定を行う。双方の要件が満たされていると判定した場合には、ＵＳＢメモリ１３及びメモリカード１４双方への録音を行うための要件が満たされていることになるので、ステップ２７へ進み、ＣＤからＵＳＢメモリ１３及びメモリカード１４双方への同時録音を行い、図２の処理を終了する。
【００２８】
ステップ２５及び２６において、メモリカード１４への録音を行うための要件が満たされていないと判定した場合には、ＵＳＢメモリ１３のみへの録音を行うための要件が満たされていることになるので、ステップ２８へ進み、ＣＤからＵＳＢメモリ１３のみへの録音を行い、図２の処理を終了する。
【００２９】
一方、ステップ２３及び２４においてＵＳＢメモリ１３への録音を行うための要件が満たされていないと判定した場合には、ステップ２９及び３０において、メモリカードへの録音を行うための要件、すなわちメモリカード１４が接続され、認識できること、及びメモリカード１４が書込み許可となっていることの双方が満たされているか否かの判定を行う。いずれか一方の要件が満たされていないと判定した場合には、ＵＳＢメモリ１３及びメモリカード１４のいずれにも録音を行うことができないので、ステップ３２へ進み、その旨を表示するエラー表示を行い、図２の処理を終了する。
【００３０】
ステップ２９及び３０においてメモリカード１４への録音を行うための要件が満たされていると判定した場合には、メモリカード１４のみへの録音を行うための要件が満たされていることになるので、ステップ３１へ進み、ＣＤからメモリカード１４のみへの録音を行い、図２の処理を終了する。
【００３１】
図３は上記ステップ２７におけるＣＤからＵＳＢメモリ１３及びメモリカード１４双方への同時録音を行う場合の処理を示すフローチャートである。システムマイコン２０はまず、ステップ３１において、ＣＤメカ部１１がＣＤを再生中であるかどうかを判定する。再生中でなければそのままステップ３３へ進み、再生中であれば、ステップ３２において、再生中のトラックの先頭に頭出しを行い、再生の一時定停止状態としてからステップ３３へ進む。ステップ３３へ進むと、ＵＳＢメモリ１３及びメモリカード１４への録音を開始するとともに、ステップ３４において、ＣＤの再生を開始する。これにより、ステップ３２を経由した場合は再生中であったトラックについての録音が、ステップ３２を経由しなかった場合はＣＤの全曲についての録音が、ＵＳＢメモリ１３及びメモリカード１４の双方に対して同時に開始されることになる。
【００３２】
録音中はステップ３５〜４０において所定の検出が行われ、検出内容に応じて所定の処理が行われる。すなわちまず、ステップ３５においては、停止キーによる録音停止の指示の有無を検出し、ステップ３６においては、ＣＤの再生終了の有無を検出する。録音停止の指示又は再生終了を検出した場合には、ステップ４５へ進み、ＣＤの再生動作、並びにＵＳＢメモリ１３及びメモリカード１４への録音動作を停止し、図３の処理を終了する。
【００３３】
ステップ３７及び３８においては、ＵＳＢメモリ１３への録音中にＵＳＢメモリ１３における録音用の残容量がなくなったかどうかの検出を行う。残容量がなくなったことを検出した場合には、ステップ４１においてＵＳＢメモリ１３への録音動作を停止し、ステップ４３へ進む。同様に、ステップ３９及び４０においては、メモリカード１４への録音中にメモリカード１４における録音用の残容量がなくなったかどうかの検出を行う。残容量がなくなったことを検出した場合には、ステップ４２においてメモリカード１４への録音動作を停止し、ステップ４３へ進む。
【００３４】
ステップ４３では、ＵＳＢメモリ１３及びメモリカード１４双方への録音動作が停止されたかどうかを判定する。双方又はいずれか一方への録音動作が行われていると判定した場合にはステップ３５へ戻る。この場合、その録音動作が続行されることになる。双方への録音動作が停止されたと判定した場合には、ステップ４４においてＣＤメカ部１１による再生動作を停止し、図３の動作を終了する。
【００３５】
図４は図２のステップ２８におけるＣＤからＵＳＢメモリ１３のみへの録音を行う場合の処理を示すフローチャートである。システムマイコン２０はまず、ステップ５１において、ＣＤメカ部１１がＣＤを再生中であるかどうかを判定する。再生中でなければそのままステップ５３へ進み、再生中であればステップ５２において、再生中のトラックの先頭に頭出しを行い、再生の一時定停止状態としてからステップ５３へ進む。ステップ５３へ進むと、ＵＳＢメモリ１３への録音を開始するとともに、ステップ５４において、ＣＤの再生を開始する。これにより、ステップ５２を経由した場合は再生中であったトラックについての録音が、ステップ５２を経由しなかった場合はＣＤの全曲についての録音が、ＵＳＢメモリ１３に対して開始されることになる。
【００３６】
録音中はステップ５５〜５７において所定の検出が行われ、検出内容に応じて所定の処理が行われる。すなわち、ステップ５５において停止キーによる録音停止の指示の有無、ステップ５６においてＣＤの再生終了の有無、及びステップ５７においてＵＳＢメモリ１３における録音用の残容量がなくなったかどうかの検出を行う。録音停止の指示、ＣＤの再生終了、又は残容量がなくなったことのいずれかを検出した場合には、ステップ５８へ進み、ＣＤメカ部１１によるＣＤの再生動作、及びＵＳＢメモリ１３への録音動作を停止して、図４の処理を終了する。いずれも検出しなかった場合にはステップ５５へ戻り、録音動作を続行する。
【００３７】
図５は図２のステップ３１におけるＣＤからメモリカード１４のみへの録音を行う場合の処理を示すフローチャートである。この録音は、ＣＤからＵＳＢメモリ１３のみへ録音を行う図４の場合と同様の手順で行われる。すなわち、図４の説明における「ＵＳＢメモリ１３」を「メモリカード１４」に置き換えるとともに、「ステップ５１」〜「ステップ５８」を「ステップ６１」〜「ステップ６８」に置き換えるだけで、図４の説明をそのまま図５の説明として適用することができる。
【００３８】
本実施形態によれば、録音キーの入力に応答して、ＵＳＢメモリ１３及びメモリカード１４の双方について、録音を行うための要件が満たされているかどうかを判定し、要件が満たされているものについて録音を行うようにしたため、録音キーの操作のみで（ステップ２１）、ＵＳＢメモリ１３及びメモリカード１４への同時録音（ステップ２７）、並びにＵＳＢメモリ１３又はメモリカード１４のいずれか一方のみへの録音（ステップ２８又は３１）を行うことができる。したがって、従来のようにＵＳＢメモリ及びメモリカードへの同時録音を指示するための同時録音キー、並びにＵＳＢメモリのみ又はメモリカードのみへの各個別録音を指示するための２つの個別録音キーを設ける必要なく、１つの録音キーのみを設けるだけで、同時録音及び各個別録音の指示を行うことができる。また、同時録音及び各個別録音の指示を１つの録音キーにより行うことができるので、操作も容易となる。
【００３９】
図６は本発明の別の実施形態に係る録音再生装置における処理を示すフローチャートである。この録音再生装置については、図１のブロック図がそのまま適用される。ただし、この録音再生装置は、ＵＳＢメモリ１３及びメモリカード１４からの再生を行う機能を有している。そして、操作部２２には、入力セレクタが設けられており、入力セレクタにより、録音を行う場合の音源を、ＣＤメカ部１１、ＵＳＢメモリ１３、及びメモリカード１４のうちから選択することができるようになっている。
【００４０】
システムマイコン２０は、図６の処理を開始すると、ステップ７１、７２、８４、及び９０において、録音キーによる入力の有無、及び入力セレクタによる選択状態の検出を行う。そして、録音キーによる入力があったとき（ステップ７１）、入力セレクタによりＣＤメカ部１１が選択されている場合には（ステップ７２）、ＣＤからＵＳＢメモリ１３及びメモリカード１４への同時録音（ステップ７８）、ＣＤからＵＳＢメモリ１３のみへの録音（ステップ７９）、又はＣＤからメモリカード１４のみへの録音（ステップ８２）を行う。この場合のステップ７３〜８３の処理は、図２のステップ２２〜３２の処理と同様である。
【００４１】
また、録音キーによる入力があったとき（ステップ７１）、入力セレクタによりＵＳＢメモリ１３が選択されている場合には（ステップ８４）、ＵＳＢメモリ１３からメモリカード１４への録音（ステップ８８）を行う。この場合、ＵＳＢメモリ１３がＵＳＢコントローラ１５に接続され、認識できること（ステップ８５）、メモリカード１４がメモリカードスロット１６に接続され、認識できること（ステップ８６）、及びメモリカード１４が書込み許可となっていること（ステップ８７）が録音を行うための要件とされる。いずれかの要件を満たさない場合には、ステップ８９において、その旨を示すエラー表示を行い、図６の処理を終了する。
【００４２】
また、録音キーによる入力があったとき（ステップ７１）、入力セレクタによりメモリカード１４が選択されている場合には（ステップ９０）、メモリカード１４からＵＳＢメモリ１３への録音（ステップ９４）を行う。この場合、メモリカード１４がメモリカードスロット１６に接続され、認識できること（ステップ９１）、ＵＳＢメモリ１３がＵＳＢコントローラ１５に接続され、認識できること（ステップ９２）、及びＵＳＢメモリ１３が書込み許可となっていること（ステップ９３）が録音を行うための要件とされる。いずれかの要件を満たさない場合には、ステップ９５において、その旨を示すエラー表示を行い、図６の処理を終了する。
【００４３】
本実施形態によれば、録音用の音源として、入力セレクタによりＣＤが選択されている場合には、図２の形態の場合と同様に、共通の１つの録音キーの操作によって、ＣＤからのＵＳＢメモリ１３及びメモリカード１４への同時録音及び個別録音を行うことができるとともに、入力セレクタによりＵＳＢメモリ１３又はメモリカード１４が選択されている場合でも、メモリカード１４又はＵＳＢメモリ１３への録音を、前記共通の録音キーの操作によって行うことができる。
【００４４】
なお、本発明は上述実施形態に限定されることなく、適宜変形して実施することができる。たとえば、上述においては、同時録音及び個別録音の対象として、ＵＳＢメモリ１３及びメモリカード１４を用いているが、これに限らず、他の外部記憶装置や３つ以上の外部記憶装置を用いるようにしてもよい。その場合、同種の複数の外部記憶装置が対象に含まれていてもよい。この場合も、共通の録音キーの操作に応じ、録音要件を具備する外部記憶装置について録音を実施することにより、上述と同様の効果を得ることができる。
【図面の簡単な説明】
【００４５】
【図１】本発明の一実施形態に係る録音再生装置の構成を示すブロック図である。
【図２】図１の録音再生装置において、ＵＳＢメモリ及びメモリカードの双方又は一方に対して録音を行う場合のシステムマイコン２０による処理を示すフローチャートである。
【図３】図２の処理におけるＣＤからＵＳＢメモリ及びメモリカード双方への同時録音を行う場合の処理を示すフローチャートである。
【図４】図２の処理におけるＣＤからＵＳＢメモリのみへの録音を行う場合の処理を示すフローチャートである。
【図５】図２の処理におけるＣＤからメモリカードのみへの録音を行う場合の処理を示すフローチャートである。
【図６】本発明の別の実施形態に係る録音再生装置における処理を示すフローチャートである。
【図７】従来の録音再生装置において、ＣＤの再生信号に基づき、ＵＳＢメモリ及びメモリカードに対して同時に録音を行う動作を示すフローチャートである。
【図８】従来の録音再生装置において、ＣＤの再生信号に基づき、ＵＳＢメモリへの録音を行う動作を示すフローチャートである。
【符号の説明】
【００４６】
１１：ＣＤメカ部、１２：ＤＳＰ、１３：ＵＳＢメモリ、１４：メモリカード、１５：ＵＳＢコントローラ、１６：メモリカードスロット、１７：ＤＡコンバータ、１８：アンプ部、１９：スピーカ、２０：システムマイコン、２１：表示部、２２：操作部。